(57)【要約】【課題】バネ受け部材がガイド部材から脱落するのを防止することが可能な自脱型コンバインが要望されている。【解決手段】刈取部を弾性的に支持可能なバランス機構１６を備え、バランス機構１６は、機体フレームに設けられる機台１７と、機台１７から前上がりの傾斜姿勢で刈取部に向かって延びる一対のガイドロッド１８と、一対のガイドロッド１８に移動可能に支持される第一バネ受け１９と、第一バネ受け１９と機台１７との間に介装されるバネ２１と、第一バネ受け１９に連結されると共に機台１７に形成される開口部１７ａを貫通するボルト軸２２と、ボルト軸２２のうち開口部１７ａよりも機体フレーム側の部分に設けられると共にボルト軸２２が開口部１７ａから抜け出すのを阻止するフランジ部２８と、を有する。【選択図】図３
2016063770.tif 000002
【特許請求の範囲】
【請求項１】
機体の前部に昇降可能に設けられる刈取部と、
前記刈取部を弾性的に支持可能なバランス機構と、を備え、
前記バランス機構は、前記機体に設けられる機台と、前記機台から前上がりの傾斜姿勢で前記刈取部に向かって延びるガイド部材と、前記ガイド部材に移動可能に支持されるバネ受け部材と、前記バネ受け部材と前記機台との間に介装されるバネと、前記バネ受け部材に連結されると共に前記機台に形成される開口部を貫通する軸部材と、前記軸部材のうち前記開口部よりも前記機体側の部分に設けられると共に前記軸部材が前記開口部から抜け出すのを阻止する抜止め部と、を有する自脱型コンバイン。
【請求項２】
前記抜止め部は、前記開口部の径よりも大きなフランジ部によって構成されている請求項１に記載の自脱型コンバイン。
【請求項３】
前記軸部材に、前記バネのバネ長さを調整する調整ナットが螺合され、
前記フランジ部が前記調整ナットと一体に形成されている請求項２に記載の自脱型コンバイン。
【発明の詳細な説明】
【技術分野】
【０００１】
本発明は、機体の前部に昇降可能に設けられる刈取部と、刈取部を弾性的に支持可能なバランス機構と、を備える自脱型コンバインに関する。
【背景技術】
【０００２】
上記のような自脱型コンバインとして、例えば、特許文献１に記載のものが既に知られている。特許文献１に記載の自脱型コンバインは、機体の前部に昇降可能に設けられる刈取部（文献では「刈取り部」）と、刈取部を弾性的に支持可能なバランス機構（文献では「バランス支持手段」）と、を備えている。
【０００３】
バランス機構は、機体に設けられる機台（文献では「バネ受け台」）と、機台から前上がりの傾斜姿勢で刈取部に向かって延びるガイド部材（文献では「支軸」）と、ガイド部材に移動可能に支持されるバネ受け部材（文献では「先端側バネホルダ」）及び基端側バネホルダと、バネ受け部材と基端側バネホルダとの間に介装されるバネ（文献では「バランスバネ」）と、バネ受け部材と基端側バネホルダとに亘って設けられると共にバネ受け部材に連結される軸部材と、を有している。特許文献１に記載の自脱型コンバインでは、刈取部が昇降範囲のうち所定の下降作業範囲に位置すると、刈取部がバネ受け部に当接し、バネが圧縮操作される。こうして、刈取部がバランス機構によって弾性的に支持されることにより、刈取部の接地圧が軽減されるため、刈取部の地面への突っ込みを抑制することができる。
【先行技術文献】
【特許文献】
【０００４】
【特許文献１】特開２００８−２４５５３０号公報
【発明の概要】
【発明が解決しようとする課題】
【０００５】
特許文献１に記載の自脱型コンバインでは、バネ受け部材がガイド部材に移動可能に支持されているところ、バネ受け部材がバネの付勢力によって刈取部側に大きく移動した場合、バネ受け部材がガイド部材から脱落することが懸念される。
【０００６】
上記状況に鑑み、バネ受け部材がガイド部材から脱落するのを防止することが可能な自脱型コンバインが要望されている。
【課題を解決するための手段】
【０００７】
本発明の特徴は、
機体の前部に昇降可能に設けられる刈取部と、
前記刈取部を弾性的に支持可能なバランス機構と、を備え、
前記バランス機構は、前記機体に設けられる機台と、前記機台から前上がりの傾斜姿勢で前記刈取部に向かって延びるガイド部材と、前記ガイド部材に移動可能に支持されるバネ受け部材と、前記バネ受け部材と前記機台との間に介装されるバネと、前記バネ受け部材に連結されると共に前記機台に形成される開口部を貫通する軸部材と、前記軸部材のうち前記開口部よりも前記機体側の部分に設けられると共に前記軸部材が前記開口部から抜け出すのを阻止する抜止め部と、を有することにある。
【０００８】
本特徴構成によれば、バネ受け部材がバネの付勢力によって刈取部側に大きく移動した場合でも、軸部材が開口部から抜け出すのが抜止め部によって阻止される。これにより、バネ受け部材の刈取部側への移動が阻止されるため、バネ受け部材がガイド部材から脱落するのを防止することができる。
【０００９】
さらに、本発明において、
前記抜止め部は、前記開口部の径よりも大きなフランジ部によって構成されていると好適である。
【００１０】
本特徴構成によれば、抜止め部を簡単に構成することができると共に、軸部材が開口部から抜け出すのを確実に阻止することができる。
【００１１】
さらに、本発明において、
前記軸部材に、前記バネのバネ長さを調整する調整ナットが螺合され、
前記フランジ部が前記調整ナットと一体に形成されていると好適である。
【００１２】
本特徴構成によれば、部品点数の削減による低コスト化が可能であると共に、調整ナットを軸部材に螺合するだけで、フランジ部を軸部材に簡単に取り付けることができる。
【図面の簡単な説明】
【００１３】
【図１】自脱型コンバインを示す左側面図である。
【図２】刈取部がバランス機構によって弾性的に支持された状態を示す左側面図である。
【図３】バランス機構を示す断面図である。
【図４】刈取部の昇降とバランス機構の状態との関係を示す左側面図である。
【図５】別実施形態に係るフランジ部を示す断面図である。
【図６】第一の別実施形態に係るバランス機構を示す断面図である。
【図７】第二の別実施形態に係るバランス機構を示す断面図である。
【発明を実施するための形態】
【００１４】
本発明を実施するための形態について、図面に基づき説明する。
【００１５】
〔自脱型コンバインの全体構成〕
図１には、自脱型コンバインを示している。この自脱型コンバインは、クローラ式の走行装置１と、走行装置１で支持される機体フレーム２（本発明に係る「機体」に相当）と、を備えている。機体フレーム２の前端部には、植立穀稈を刈り取る刈取部３が昇降可能に設けられている。機体フレーム２上において、刈取部３の後方には、運転部４が設けられていると共に、運転部４の後方には、刈取穀稈を脱穀する脱穀装置５と、穀粒を貯留するグレンタンク６と、が左右方向に隣り合う状態で設けられている。
【００１６】
〔刈取部〕
刈取部３は、複数条刈りに構成されている。刈取部３は、例えば、二条刈りに構成されているが、三条刈り以上に構成されていてもよい。刈取部３は、左右方向に延びる軸心Ｘ１周りで揺動することにより、上昇非作業位置と下降作業位置との間で昇降するように構成されている。
【００１７】
刈取部３は、植立穀稈を分草する分草具７と、分草具７で分草された植立穀稈を引き起こす引起装置８と、引起装置８で引き起こされた植立穀稈を切断する切断装置９と、刈取穀稈を脱穀装置５に供給するように後方に搬送する搬送装置１０と、備えている。分草具７は、前後方向に延びる分草具フレーム１１の前端部に取り付けられている。分草具フレーム１１の下側には、接地可能なソリ１２が取り付けられている。
【００１８】
刈取部３は、軸心Ｘ１から前下がりの傾斜姿勢で延びる刈取主フレーム１３を備えている。刈取主フレーム１３は、軸心Ｘ１周りで揺動可能に構成されている。刈取主フレーム１３と機体フレーム２とに亘って、油圧式の昇降シリンダ１４が設けられている。昇降シリンダ１４が伸縮することにより、刈取主フレーム１３が軸心Ｘ１周りで揺動する。
【００１９】
図２に示すように、刈取主フレーム１３の下側には、左右方向に延びる軸心Ｘ２周りで揺動可能な揺動操作アーム１５が設けられている。揺動操作アーム１５の下端部は、刈取主フレーム１３に連結されている。刈取主フレーム１３が軸心Ｘ１周りで揺動することにより、揺動操作アーム１５が刈取主フレーム１３と一体的に軸心Ｘ２周りで揺動する。機体フレーム２の前端部には、刈取部３を弾性的に支持可能なバランス機構１６が設けられている。
【００２０】
〔バランス機構〕
図２及び図３に示すように、バランス機構１６は、機台１７と、一対のガイドロッド１８（本発明に係る「ガイド部材」に相当）と、第一バネ受け１９（本発明に係る「バネ受け部材」に相当）と、第二バネ受け２０と、バネ２１と、ボルト軸２２（本発明に係る「軸部材」に相当）と、一対の調整ナット２３と、抜止めナット２４と、を有している。
【００２１】
機台１７は、機体フレーム２の前端部に設けられている。機台１７は、バネ２１を支持する支持座１７Ａを有している。支持座１７Ａには、略円形状の開口部１７ａが形成されている。開口部１７ａの径は、調整ナット２３の径及び抜止めナット２４のナット部２７の径よりも大きく形成されている。
【００２２】
一対のガイドロッド１８は、支持座１７Ａから前上がりの傾斜姿勢で刈取主フレーム１３に向かって延びるように、支持座１７Ａに固定されている。一対のガイドロッド１８には、第一バネ受け１９及び第二バネ受け２０が摺動可能に支持されている。
【００２３】
バネ２１は、第一バネ受け１９と第二バネ受け２０との間に介装されている。バネ２１には、伸縮可能なカバー２６が外嵌されている。バネ２１のうち刈取部３側の端部は、第一バネ受け１９に支持されている。バネ２１のうち機体フレーム２側の端部は、第二バネ受け２０に支持されている。第二バネ受け２０と支持座１７Ａとの間には、シム２５が設けられている。
【００２４】
ボルト軸２２は、開口部１７ａを貫通する状態で第一バネ受け１９と第二バネ受け２０とに亘って設けられている。ボルト軸２２の頭部２２ａには、第一バネ受け１９がバネ２１の付勢力によって当接されている。すなわち、ボルト軸２２の頭部２２ａは、第一バネ受け１９に連結されている。また、ボルト軸２２の軸部２２ｂのうち少なくとも先端部側には、ネジ加工が施されている。
【００２５】
一対の調整ナット２３は、ボルト軸２２の軸部２２ｂのうち第二バネ受け２０よりも機体フレーム２側の部分に螺合されている。一対の調整ナット２３を第二バネ受け２０の裏面に当接させた状態で、一対の調整ナット２３を締付けることにより、バネ２１のバネ長さ（初期長さ）を調整することができる。
【００２６】
抜止めナット２４は、ボルト軸２２の軸部２２ｂのうち一対の調整ナット２３よりも機体フレーム２側の部分に螺合されている。抜止めナット２４は、ナット部２７と、フランジ部２８（本発明に係る「抜止め部」、「フランジ部」に相当）と、を有している。
【００２７】
フランジ部２８は、ナット部２７を介してボルト軸２２に螺合されている。フランジ部２８は、ボルト軸２２の軸部２２ｂのうち開口部１７ａよりも機体フレーム２側の部分に設けられている。フランジ部２８は、開口部１７ａの径よりも大きな略円形状の部材、例えば、座金によって構成されている。この場合、フランジ部２８（座金）の一側面と他側面に、短ナットと長ナットを夫々溶接で固定することにより、抜止めナット２４を構成することができる。なお、フランジ部２８の形状は、開口部１７ａの径よりも大きなものであれば、略円形状に限定されるものではない。
【００２８】
〔バランス機構の動作〕
図４に示すように、刈取部３が昇降範囲Ｒのうち上昇非作業範囲Ｒ１に位置すると、揺動操作アーム１５が第一バネ受け１９から離れるので、バランス機構１６が刈取部３に支持作用しない。そして、刈取部３が昇降範囲Ｒのうち下降作業範囲Ｒ２に位置すると、揺動操作アーム１５が第一バネ受け１９に当接し、バネ２１が揺動操作アーム１５によって圧縮操作される。こうして、刈取部３がバランス機構１６によって弾性的に支持されることにより、刈取部３の接地圧が軽減されるため、刈取部３の地面への突っ込みを抑制することができる。
【００２９】
ここで、刈取部３の上昇に伴って、第一バネ受け１９がバネ２１の付勢力によって刈取部３側に大きく移動した場合でも、フランジ部２８が支持座１７Ａの裏面に当接した状態で開口部１７ａを刈取部３側に通過しない。すなわち、ボルト軸２２が開口部１７ａから刈取部３側に抜け出す（言い換えると、ボルト軸２２が開口部１７ａを刈取部３側に通過する）のがフランジ部２８によって阻止される。これにより、第一バネ受け１９の刈取部３側への移動が阻止されるため、第一バネ受け１９が一対のガイドロッド１８から脱落するのを防止することができる。なお、本実施形態では、バネ２１が初期長さの状態で、フランジ部２８が支持座１７Ａの裏面に当接するように、抜止めナット２４の位置が設定されている。
【００３０】
〔別実施形態〕
（１）上記実施形態では、フランジ部２８がナット部２７を介してボルト軸２２に螺合されているが、図５に示すように、フランジ部２８がボルト軸２２に直接螺合されていてもよい。
【００３１】
（２）上記実施形態では、調整ナット２３と抜止めナット２４とが別体に形成されているが、図６に示すように、抜止めナット１２４として一体に形成されていてもよい。すなわち、フランジ部２８が調整ナットと一体に形成されていてもよい。
【００３２】
（３）上記実施形態において、バランス機構１６は、第二バネ受け２０を有しているが、図７に示すように、第二バネ受け２０を廃止してもよい。すなわち、バネ２１のうち機体フレーム２側の端部が、機台１７（支持座１７Ａ）に直接支持されていてもよい。この場合、フランジ部２８を支持座１７Ａの裏面に当接させた状態で、抜止めナット２４を締付けることにより、バネ２１のバネ長さ（初期長さ）を調整することができる。
【００３３】
なお、本発明は、上記実施形態及び上記別実施形態に限定されるものではなく、その他種々の変更が可能である。また、上記実施形態及び上記別実施形態は、矛盾の生じない限り、適宜組み合わせたり又は省略したりすることができる。
【産業上の利用可能性】
【００３４】
本発明は、刈取部を備える自脱型コンバインに利用可能である。
【符号の説明】
【００３５】
２  機体フレーム（機体）
３  刈取部
１６  バランス機構
１７  機台
１７ａ  開口部
１８  ガイドロッド（ガイド部材）
１９  第一バネ受け（バネ受け部材）
２１  バネ
２２  ボルト軸（軸部材）
２３  調整ナット
２８  フランジ部（抜止め部、フランジ部）
【図１】
2016063770.tif 000003
【図２】
2016063770.tif 000004
【図３】
2016063770.tif 000005
【図４】
2016063770.tif 000006
【図５】
2016063770.tif 000007
【図６】
2016063770.tif 000008
【図７】
2016063770.tif 000009